(57)【要約】      （修正有）【課題】複数枚のケアレーベルを重ねて被服に取り付ける場合であっても、被服の購入者又は使用者が表側から２枚目以降のケアレーベルの表示内容に容易に気付くような方策を提供する。【解決手段】重ね合わせケアレーベル１００は、重ねられた複数枚のケアレーベル１０１〜１０４を備えた重ね合わせケアレーベルであって、複数枚のケアレーベル１０１〜１０４が少なくとも一点において互いに固定されており、表面から見た際に、複数枚のケアレーベル１０１〜１０４のいずれについても、ケアレーベルの一部を視認することが可能である。【選択図】図１
0003175127.tif 000002
【実用新案登録請求の範囲】
【請求項１】
重ねられた複数枚のケアレーベルを備えた重ね合わせケアレーベルであって、
前記複数枚のケアレーベルが少なくとも一点において互いに固定されており、
表面から見た際に、前記複数枚のケアレーベルのいずれについても、ケアレーベルの一部を視認することが可能である、重ね合わせケアレーベル。
【請求項２】
前記複数枚のケアレーベルが、それぞれ一つの直線上において折り曲げられている、請求項１に記載の重ね合わせケアレーベル。
【請求項３】
前記複数枚のケアレーベルに、それぞれ異なる言語による表示が印刷されている、請求項１又は２に記載の重ね合わせケアレーベル。
【請求項４】
前記複数枚のケアレーベルの固定が超音波溶着によりなされている、請求項１乃至３のいずれかに記載の重ね合わせケアレーベル。
【請求項５】
超音波を発生させる超音波ホーンと、前記超音波ホーンに対向して設けられた刃を備え、前記超音波ホーンが前記刃に近接して超音波を発生させたときに前記超音波ホーンと前記刃の間において布地を切断する超音波切断部と、
前記超音波切断部による前記布地の切断によって作られたケアレーベルを重ねて蓄積することが可能なスタッカーと、
超音波を発生させる超音波ホーンと、前記超音波ホーンに対向して設けられた刃を備え、前記超音波ホーンが前記刃に近接して超音波を発生させたときに前記超音波ホーンと前記刃の間において複数のケアレーベルの部分を溶着する超音波溶着部と、
前記超音波切断部と前記スタッカーと前記超音波溶着部を制御する制御部であって、
布地を切断して所定の寸法のケアレーベルを作るように前記超音波切断部を制御し、
前記超音波切断部で作られた前記ケアレーベルが所定の枚数に至るまで重ねて蓄積した後に、前記所定の枚数の前記ケアレーベルを重なった状態にて前記超音波溶着部に送るように前記スタッカーを制御し、かつ、
前記所定の枚数の前記ケアレーベルの部分を溶着するように超音波溶着部を制御する、制御部
を備えた重ね合わせケアレーベル製造装置。
【考案の詳細な説明】
【技術分野】
【０００１】
本考案は、下着やワイシャツなどに付けられる、サイズや商標などを表示するためのケアレーベルとその製造装置に関する。
【背景技術】
【０００２】
一般に、下着やワイシャツなどの被服には、洗濯適合の表示やサイズなどを表示したケアレーベルが付けられている。ケアレーベルは一般に洗濯ネームとも呼ばれ、商品のブランド、サイズ、体形、洗濯絵表示、品質又は原産地などのほか、デメリット表示又は製造物責任法に基づく注意書きなどを表記するためのものをいう。
【０００３】
ケアレーベルは、短冊状布帛の両面に表示部をプリントした後、その片側を被服に縫着又は溶着して用いられる。表記内容が多い場合には、２枚のケアレーベルを縫着又は溶着したり、１枚の比較的長いケアレーベルを二つ折りにして被服に縫着又は溶着している。
【０００４】
しかしながら、２枚のケアレーベルを重ねて被服に取り付けた場合や、１枚のケアレーベルを二つ折りにして被服に取り付けた場合には、被服の購入者又は使用者が重ねられた下側のケアレーベルの内容に気付くことは困難である。同様の理由により、２枚以上のケアレーベルを取り付けて複数の言語による表記を行った場合、表側から２枚目以降のケアレーベルに記載された言語による表記は購入者又は使用者に気付かれない可能性が高い。
【考案の開示】
【考案が解決しようとする課題】
【０００５】
本考案が解決しようとする課題は、複数枚のケアレーベルを重ねて被服に取り付ける場合であっても、被服の購入者又は使用者が表側から２枚目以降のケアレーベルの表示内容に容易に気付くような方策を提供することである。また、複数の言語による表記が行われた複数枚のケアレーベルを重ねて被服に取り付ける場合に、被服の購入者又は使用者が表側から２枚目以降に表示された言語による表記に気付くような方策を提供することである。
【課題を解決するための手段】
【０００６】
本考案による重ね合わせケアレーベルは、重ねられた複数枚のケアレーベルを備えた重ね合わせケアレーベルであって、前記複数枚のケアレーベルが少なくとも一点において互いに固定されており、表面から見た際に、前記複数枚のケアレーベルのいずれについても、ケアレーベルの一部を視認することが可能であり、これにより上記課題を解決する。
【０００７】
前記複数枚のケアレーベルは、それぞれ一つの直線上において折り曲げられていてもよい。また、前記複数枚のケアレーベルには、それぞれ異なる言語による表示が印刷されていてもよい。さらに、前記複数枚のケアレーベルの固定は超音波溶着によりなされていてもよい。
【０００８】
本考案による重ね合わせケアレーベル製造装置は、超音波を発生させる超音波ホーンと、前記超音波ホーンに対向して設けられた刃を備え、前記超音波ホーンが前記刃に近接して超音波を発生させたときに前記超音波ホーンと前記刃の間において布地を切断する超音波切断部と、前記超音波切断部による前記布地の切断によって作られたケアレーベルを重ねて蓄積することが可能なスタッカーと、超音波を発生させる超音波ホーンと、前記超音波ホーンに対向して設けられた刃を備え、前記超音波ホーンが前記刃に近接して超音波を発生させたときに前記超音波ホーンと前記刃の間において複数のケアレーベルの部分を溶着する超音波溶着部と、前記超音波切断部と前記スタッカーと前記超音波溶着部を制御する制御部であって、布地を切断して所定の寸法のケアレーベルを作るように前記超音波切断部を制御し、前記超音波切断部で作られた前記ケアレーベルが所定の枚数に至るまで重ねて蓄積した後に、前記所定の枚数の前記ケアレーベルを重なった状態にて前記超音波溶着部に送るように前記スタッカーを制御し、かつ、前記所定の枚数の前記ケアレーベルの部分を溶着するように超音波溶着部を制御する、制御部を備えており、これにより上記課題を解決する。
【考案の効果】
【０００９】
本考案の重ね合わせケアレーベルによれば、重ね合わせケアレーベルが取り付けられた被服の購入者や使用者が、複数枚のケアレーベルが存在することを容易に視認することができる。これにより、表側から２枚目以降のケアレーベルに記載された表示内容であっても、購入者や使用者によって見落とされる可能性が低減される。
【００１０】
また、本考案の重ね合わせケアレーベルによれば、複数枚のケアレーベルに複数の言語による表示を印刷することが可能であり、被服の購入者や使用者は重ね合わせケアレーベル複数の言語による表示がなされていることを容易に認識することが可能である。
【００１１】
さらに、本考案の重ね合わせケアレーベル製造装置によれば、上記の各効果を奏する重ね合わせケアレーベルを製造することが可能となる。
【考案を実施するための最良の形態】
【００１２】
以下、図面を参照しながら本考案の実施の形態について説明する。
【００１３】
図１は、本考案の重ね合わせケアレーベル１００を示す説明図である。重ね合わせケアレーベル１００は、縫着等の手段により被服に取り付けられるためのものであり、商品のブランドや洗濯絵表示等が印刷されることが予定されている。図１において、（ａ）〜（ｃ）はそれぞれ重ね合わせケアレーベル１００の平面図、側面図、底面図である。
【００１４】
図１（ａ）（ｂ）に示されるように、重ね合わせケアレーベル１００は異なる大きさの４枚のケアレーベル１０１〜１０４を重ねたものである。図１（ｂ）の部分１０５において、４枚のケアレーベル１０１〜１０４は接着、縫着又は圧着等されることにより互いに固定されている。好適には、４枚のケアレーベル１０１〜１０４は部分１０５において超音波溶着されている。なお、図１（ｂ）においては理解の容易化のためにケアレーベル１０１〜１０４はある程度の厚みを有しているが、実際は図１（ｂ）に示される程の厚みを有している必要はない。
【００１５】
図１の重ね合わせケアレーベル１００は、４枚のケアレーベルを重ねたものであるにもかかわらず、表側から２枚目以降のケアレーベル１０２〜１０４についても、先端部分（図１（ａ）ではケアレーベル１０２〜１０４の下部、図１（ｂ）ではケアレーベル１０２〜１０４の右端部分）を、表側から視認することができる。これにより、重ね合わせケアレーベル１００が取り付けられた被服の購入者や使用者は、複数枚のケアレーベルが取り付けられていることを容易に認識するため、表側から２枚目以降のケアレーベルの表示内容を見落とす可能性が小さくなる。
【００１６】
図１（ｄ）は、４枚のケアレーベル１１１〜１１４にそれぞれ別の言語にて表示を印刷した重ね合わせケアレーベル１１０の平面図である。４枚のケアレーベル１１１〜１１４には、それぞれ日本語、英語、中国語、韓国語により表示が印刷されている。重ね合わせケアレーベル１１０を一見すれば、まずケアレーベル１１１上の日本語による表示が目に入るが、よく見ればその下のケアレーベル１１２〜１１４に英語や中国語等の表示があることに気付く。
【００１７】
図１（ｅ）は、重ね合わせケアレーベル１１０の表側から１枚目のケアレーベル１１１をめくった際の平面図である。重ね合わせケアレーベル１１０を見た被服の購入者や使用者は、各ケアレーベルとの遠近差から複数枚のケアレーベルが被服に取り付けられていることに気付くため、このように実際にめくってみて２枚目以降の表示を確認することになる。図１（ｅ）の例では、購入者や使用者はケアレーベル１１２に記載された「ＣＯＴＴＯＮ  １００％」等の英語表示を見ることができる。
【００１８】
図２は、本考案の別の重ね合わせケアレーベル２００を示す説明図である。図２において、（ａ）〜（ｃ）はそれぞれ重ね合わせケアレーベル２００の平面図、側面図、底面図である。
【００１９】
図２（ａ）に示されるように、重ね合わせケアレーベル２００は表側から見たところでは図１の重ね合わせケアレーベル１００と同様の外観を呈する。しかし、重ね合わせケアレーベル２００が備えているケアレーベル２０１〜２０４は、いずれも同じ大きさ及び形状である点において重ね合わせケアレーベル１００が備えているケアレーベル１０１〜１０４と異なる。
【００２０】
ケアレーベル２０１〜２０４が同じ大きさ及び形状であることは、図２（ｂ）に示される側面図から明らかである。４枚のケアレーベル２０１〜２０４は部分２０５において、接着、縫着又は圧着等されることにより互いに固定されている。好適には、４枚のケアレーベル２０１〜２０４は部分２０５において超音波溶着されている。重ね合わせケアレーベル２００は、これに含まれるケアレーベル２０１〜２０４が同一形状であることから製造及び取り扱いが容易であるという利点を有する。
【００２１】
図３は、本考案のさらに別の重ね合わせケアレーベル３００を示す説明図である。図３において、（ａ）〜（ｃ）はそれぞれ重ね合わせケアレーベル３００の平面図、側面図、底面図である。
【００２２】
図３（ａ）に示されるように、重ね合わせケアレーベル３００は表側から見たところでは図１の重ね合わせケアレーベル１００と同様の外観を呈する。しかし、重ね合わせケアレーベル３００は、２枚のケアレーベル３０１，３０２によって構成されている点において、図１の重ね合わせケアレーベル１００と異なる。
【００２３】
図３（ｂ）の側面図に示されるように、２枚のケアレーベル３０１，３０２はそれぞれ部分３０５において折り曲げられている。２枚のケアレーベル３０１，３０２は部分３０５において、接着、縫着又は圧着等されることにより互いに固定されている。好適には、ケアレーベル３０１，３０２は部分３０５において超音波溶着されている。
【００２４】
図３（ｄ）は、重ね合わせケアレーベル３００に含まれる２枚のケアレーベル３０１，３０２をそれぞれ開いて並べた状態の平面図である。点線３０１ａ，３０２ａは、それぞれケアレーベル３０１，３０２が部分３０５において折り曲げられている線を示す。重ね合わせケアレーベル３００は、長いケアレーベルを折り曲げて使用することによって重ね合わせケアレーベルに含まれるケアレーベルの枚数を削減している点において、図１の重ね合わせケアレーベル１００と異なる。
【００２５】
図４は、本考案の重ね合わせケアレーベルを製造するための装置の概略側面図である。製造装置４００は、テープロール４１０と、移送ローラ４２０，４２１と、移送センサ４３０と、制御部４４０，４４１と、クランパ４５０と、ウェイト４６０と、読み取りセンサ４７０と、刃４８０，４８１と、超音波ホーン４９０，４９１と、スタッカー４９５を備えている。ケアレーベル製造装置４００には、前記各構成要素のほかに布地のしわを伸ばす矯正ヒーター、切断したケアレーベルを折り畳む折り畳み部などが設けられ得るが、説明の簡略化のためこれらの構成要素は省略する。
【００２６】
テープロール４１０は、帯状にカットされた長い布地４１１を任意の芯上に巻いたものである。布地４１１は、ケアレーベル製造装置４００によりカットされて最終的にケアレーベル４１２となる。布地４１１の材質は、合成繊維若しくは天然繊維製の布地、ゴム又は合成樹脂等であるが、好適には白色のポリエステル糸で織った扁平な帯状の布帛からなる織物生地である。通常ケアレーベル製造用の布地の片面又は両面には、青色、赤色又は黒色等のインクによりプリントされた表示部分が存在するが、説明の簡略化のため、図１（ｄ）（ｅ）を除く本願の各図においては表示部分を省略している。
【００２７】
移送ローラ４２０，４２１は、布地４１１を下流方向に移送するためのローラであり、好適には布地４１１を挟んだ状態で一方又は両方の回転体を回転させることにより、回転体と布地４１１の摩擦によって布地４１１を下流方向に引っ張ることが可能な一対の回転体から構成されている。
【００２８】
移送センサ４３０は、布地４１１の移送を感知することが可能なセンサであり、布地４１１が存在しないときに移送ローラ４２０の動作を停止するために設けられている。具体的には、移送センサ４３０が布地４１１を感知しているとき、移送センサ４３０は制御部４４０に対して感知信号を送出し、制御部４４０は移送ローラ４２０が作動するように制御を行う。一方、移送センサ４３０が布地４１１を感知していないとき、移送センサ４３０は制御部４４０に対して非感知信号を送出し、制御部４４０は移送ローラ４２０が停止するように制御を行う。制御部４４０による移送ローラ４２０の制御は、電気的であっても機械的であってもよい。
【００２９】
クランパ４５０は、移送されている布地４１１を挟むことによって布地４１１の通る位置を決める器具である。ウェイト４６０は、布地４１１の移送を円滑にするために布地４１１に張力を付与する器具である。読み取りセンサ４７０は布地４１１の印刷面が正しく印刷されているか否かを感知するものであり、布地４１１の印刷面に正しく印刷がされていない場合には制御部４４１に異常信号を送出する。制御部４４１は、読み取りセンサ４７０から異常信号を受け取ると、クランパ４５０、移送ローラ４２１、刃４８０及び超音波ホーン４９１などの作動を停止させる。なお、クランパ４５０、ウェイト４６０及び読み取りセンサ４７０は本考案に必須の構成要素ではなく、これらが存在しない場合や他の適切な代替手段が設けられている場合においても、本考案の目的は達成され得る。
【００３０】
制御部４４１は上記機能の他に、クランパ４５０の上下移動、移送ローラ４２１の回転並びに刃４８０及び超音波ホーン４９１などの動作間隔を制御する機能を有しており、これにより切断後のケアレーベル４１２の長さを調整することができる。
【００３１】
移送ローラ４２１の下流には刃４８０と、超音波ホーン４９０が上下に対向して設けられている。刃４８０は上下に移動することが可能であり、制御部４４１からの制御信号を受けて上下に移動する。また、刃４８０と超音波ホーン４９０の下流には、刃４８１と、超音波ホーン４９１が上下に対向して設けられている。刃４８１も、刃４８０と同様に制御部４４１からの制御信号を受けて上下に移動する。一方、超音波ホーン４９０，４９１は、布地４１１の下面に当接するように固定して設けられている。
【００３２】
刃４８０，４８１は好適には金属製であり、ステンレス鋼（ＳＵＳ）、クロムモリブデン鋼（ＳＣＭ）等の各種の合金により作られている。超音波ホーン４９０，４９１は振動エネルギーを外部に伝達させるための共鳴体であり、通常は発振回路により生成された超音波信号から振動子によって変換された機械的振動を共鳴させることによって超音波をその外部に発出するものである。超音波ホーン４９０，４９１は好適には金属製であり、その材質にはアルミニウム合金、チタン合金、ダイス鋼等が用いられる。なお、超音波ホーン４９０，４９１の内部又は外部に設けられる発振回路及び振動子については図示を省略する。
【００３３】
なお、刃４８０と超音波ホーン４９０の組み合わせは超音波による布地４１１の切断のために使用されるので、刃４８０と超音波ホーン４９０をまとめて超音波切断部と考えることができる。同様に、刃４８１と超音波ホーン４９１の組み合わせは超音波による複数のケアレーベル４１２の溶着のために使用されるので、刃４８１と超音波ホーン４９１をまとめて超音波溶着部と考えることができる。
【００３４】
刃４８０が下方に移動して布地４１１との間に僅かな隙間を有する状態において、超音波ホーン４９０から超音波を発出すると、振動が刃４８０に伝達されて布地４１１が切断される。切断された布地４１１は、ケアレーベル４１２として下流のスタッカー４９５において積み重ねられる。例えば図１の重ね合わせケアレーベル１００を製造する場合には、スタッカー４９５において積み重ねられたケアレーベル４１２は４枚のケアレーベル１０１〜１０４のうちの１〜４枚に相当する。
【００３５】
その後、スタッカー４９５はケアレーベル４１２の蓄積を解除し、所定の枚数のケアレーベル４１２が積み重ねられた状態で刃４８１と超音波ホーン４９１の間に送られる。スタッカー４９５によるケアレーベル４１２の蓄積及びその解除は、制御部４４１によって制御される。また、スタッカー４９５から刃４８１と超音波ホーン４９１の間への所定の枚数のケアレーベル４１２の移動は、ベルトコンベア４９６により行われる。
【００３６】
刃４８１は超音波溶着のための刃であり、その先端は鋭利に尖っていなくてもよい。刃４８１が下方に移動して、所定の枚数のケアレーベル４１２との間に僅かな隙間を有する状態において、超音波ホーン４９１から超音波を発出すると、刃４８１の先端に沿った部分において所定の枚数のケアレーベル４１２が互いに溶着され、重ね合わせケアレーベルが完成する。ここで溶着される部分は、例えば図１の重ね合わせケアレーベル１００の場合、部分１０５に相当する。完成した重ね合わせケアレーベルは、ベルトコンベア４９７により製品の集積場所に移送される。
【００３７】
なお、図２及び図３の重ね合わせケアレーベル２００，３００を製造する装置についても、基本的な構造及び動作は製造装置４００と同様である。但し、図３の重ね合わせケアレーベル３００の製造装置の場合には、ケアレーベル３０１，３０２を折り畳むための装置がスタッカー４９５の下流に必要である。図４において布地４１１は予め印刷されていてもよいが、製造装置４００にプリンタが組み込まれている場合には布地４１１は予め印刷されていなくてもよい。
【００３８】
図５は、制御部４４１によるスタッカー４９５、刃４８０，４８１及び超音波ホーン４９０，４９１に関する制御の流れを示すフローチャートである。制御部４４１は前記以外の部品をも制御しているが、ここでは前記以外の部品の制御に関する流れは省略する。また、以下の制御の流れは一例であり、実際には本考案による各種の重ね合わせケアレーベルを製造可能なものであれば、任意の制御方法が使用され得る。
【００３９】
図５において、ブロック５１０は刃４８０及び超音波ホーン４９０に関する制御、ブロック５２０はスタッカー４９５に関する制御、ブロック５３０は刃４８１及び超音波ホーン４９１に関する制御をそれぞれ示す。同一の布地又はケアレーベルについて見た場合、工程はブロック５１０，５２０，５３０の順に行われることになるが、製造装置４００上においてはブロック５１０，５２０，５３０の作業は並行して行われているため、制御部４４１はブロック５１０，５２０，５３０に示される制御を並行して行う。
【００４０】
ブロック５１０において、制御部４４１は、刃４８０が超音波ホーン４９０に近接するまで刃４８０を下に移動させる（ステップ５１１）。刃４８０が超音波ホーン４９０に近接した後に、超音波ホーン４９０に超音波を発出させて布地４１１を切断する（ステップ５１２）。その後、刃４８０が超音波ホーン４９０から遠ざかるように、刃４８０を上に移動させる（ステップ５１３）。布地４１１の切断によって作られるケアレーベルが所望の長さになるように、制御部４４１は刃４８０及び超音波ホーン４９０の制御に関して一定の時間待機する（ステップ５１４）。
【００４１】
ステップ５１４における待機時間は、必要なケアレーベルの長さと移送ローラ４２０，４２１による布地４１１の移送速度に依存する。例えば、必要なケアレーベルの長さが５ｃｍで移送速度が１０ｃｍ毎秒のとき、刃４８０の上下移動及び超音波ホーン４９０による超音波切断に掛かる時間が合計０．３秒であるとすれば、ステップ５１４における待機時間は０．２秒となる。ステップ５１４における待機が終了すると、制御はステップ５１１に戻る。
【００４２】
次に、ブロック５２０について説明する。制御部４４１は、刃４８０と超音波ホーン４９０によって布地４１１が切断されることによって作られたケアレーベルを１枚ずつ蓄積するようスタッカー４９５を制御する（ステップ５２１）。ステップ５２２においてケアレーベルが所定の枚数蓄積されたか否かが判定され、ケアレーベルが所定の枚数蓄積されていない場合には、ステップ５２１に戻る。ステップ５２２においてケアレーベルが所定の枚数蓄積されたと判定された場合、制御はステップ５２３に進む。ステップ５２３においては、制御部４４１はケアレーベルの蓄積を解除して重ねられたケアレーベルを刃４８１と超音波ホーン４９１の間に送るようスタッカー４９５を制御する。
【００４３】
ステップ５２２における判定は、制御部４４１によって行われてもよいし、スタッカー４９５によって行われてもよい。制御部４４１によって判定が行われる場合には、スタッカー４９５はケアレーベルの蓄積毎に蓄積完了信号を制御部４４１に送出し、制御部４４１はケアレーベルの蓄積枚数の数値を保持しておく必要がある。また、ステップ５２２における所定の枚数は、製造しようとする重ね合わせケアレーベルの一つに含まれるケアレーベルの枚数であり、例えば図１の重ね合わせケアレーベルを製造する場合には４枚となる。
【００４４】
最後に、ブロック５３０について説明する。最初に、制御部４４１はブロック５２０の制御状態を参照し、現在、ブロック５２０のステップ５２３において重ねられたケアレーベルが刃４８１と超音波ホーン４９１の間に送られているか否かを判定する（ステップ５３１）。ステップ５３１においてケアレーベルが送られていると判定されれば、制御部４４１は、刃４８１が超音波ホーン４９１に近接するまで刃４８０を下に移動させる（ステップ５３２）。ステップ５３１においてケアレーベルが送られていないと判定されれば、制御部４４１はステップ５３１の判定を繰り返す。刃４８１が超音波ホーン４９１に近接した後に、超音波ホーン４９１に超音波を発出させて複数のケアレーベルを溶着する（ステップ５３３）。その後、刃４８１が超音波ホーン４９１から遠ざかるように、刃４８１を上に移動させる（ステップ５３４）。ステップ５３４と並行して、溶着されたケアレーベルはベルトコンベアによって最終製品の集積場所に移送される。
【００４５】
以上の実施例においては、重ね合わせケアレーベルに含まれるケアレーベルの枚数は４枚又は２枚としたが、この枚数は任意である。例えば、５枚のケアレーベルを重ねたものであっても、本考案の目的を達成することができる。また、１点にて折り曲げられた１枚のケアレーベルであっても、図３の重ね合わせケアレーベル３００と類似の構成を取ることができる。さらに、重ね合わせケアレーベルの製造は半自動にて行われてもよく、例えば図４の製造装置４００における刃４８１と超音波ホーン４９１による溶着の工程が手作業による縫着に置き換えられてもよい。
【産業上の利用可能性】
【００４６】
ケアレーベル及びその製造装置に適用することができる。また、各種の紙、布、その他柔軟な素材により構成されたラベルにも適用することが可能である。
【図面の簡単な説明】
【００４７】
【図１】本考案の重ね合わせケアレーベルを示す説明図である。
【図２】本考案の別の重ね合わせケアレーベルを示す説明図である。
【図３】本考案のさらに別の重ね合わせケアレーベルを示す説明図である。
【図４】本考案の重ね合わせケアレーベルを製造するための装置の概略側面図である。
【図５】制御部によるスタッカー、刃及び超音波ホーンに関する制御の流れを示すフローチャートである。
【符号の説明】
【００４８】
１００，１１０，２００，３００  重ね合わせケアレーベル
１０１，１０２，１０３，１０４，１１１，１１２，１１３，１１４，２０１，２０２，２０３，２０４，３０１，３０２，４１２  ケアレーベル
１０５，２０５，３０５  部分
３０１ａ，３０２ａ  点線
４１０  テープロール
４２０，４２１  移送ローラ
４３０  移送センサ
４４０，４４１  制御部
４５０  クランパ
４６０  ウェイト
４７０  読み取りセンサ
４８０，４８１  刃
４９０，４９１  超音波ホーン
４９５  スタッカー
４９６，４９７  ベルトコンベア
５１０，５２０，５３０  ブロック
５１１，５１２，５１３，５１４，５２１，５２２，５２３，５３１，５３２，５３３，５３４  ステップ
【図１】
0003175127.tif 000003
【図２】
0003175127.tif 000004
【図３】
0003175127.tif 000005
【図４】
0003175127.tif 000006
【図５】
0003175127.tif 000007